(57)【要約】    【課題】  楽器本体を、身体に支持した場合も、据え置いた場合も、パネル上の操作子の操作を容易に行えるようにする。    【解決手段】  楽器本体１０の左側後部に位置するブロックＢＬ１は、その一部が切り欠かれ、平面視で斜めの角度の垂直壁１０ｃが形成されて、楽器本体１０は、外観上、板チョコの角を歯でかじったような状態に似ている。垂直壁１０ｃは、ブロックＢＬ１の上面２３と連接すると共に、楽器本体１０の背面１０ａ及び左側面１０ｂとも連接している。第１、第２割り当て操作子２１、２２は、ブロックＢＬ１の上面２３から垂直壁１０ｃにかけて設けられ、楽器本体１０の左側後部と鍵盤部ＫＢの左右方向中央付近とを結ぶ方向Ｆ１に沿って操作可能である。【選択図】      図１
2006267496.tif 000002
【特許請求の範囲】
【請求項１】
楽器本体と、
前記楽器本体において前部に配置された複数の鍵からなる鍵盤部と、
前記楽器本体において前記鍵盤部の後方に設けられたパネル部と、
前記楽器本体の左右一側の後部において、前記パネル部に設けられ、前記楽器本体の前記左右一側の後部と前記鍵盤部とを結ぶ方向に沿う動作によって操作可能な操作子とを有することを特徴とする可搬型鍵盤楽器。
【請求項２】
楽器本体と、
前記楽器本体において前部に配置された複数の鍵からなる鍵盤部と、
前記楽器本体において前記鍵盤部の後方に設けられたパネル部と、
前記楽器本体の左右一側の後部に形成され、前記パネル部に連接した垂直壁と、
前記パネル部から前記垂直壁にかけて設けられ、平面視で前記垂直壁より外方に突出した突出部を有する操作子とを有し、
前記操作子は、その前記突出部に指を掛けて操作可能に構成されたことを特徴とする可搬型鍵盤楽器。
【請求項３】
前記垂直壁は、前記楽器本体の前記左右一側の後部を切り欠いて形成され、前記操作子の前記突出部は、平面視において、前記楽器本体の前記左右一側の側面の延長線より内側であって且つ前記楽器本体の背面の延長線より前方に位置することを特徴とする請求項２記載の可搬型鍵盤楽器。
【請求項４】
前記操作子は、前記楽器本体の前記左右一側の後部と前記鍵盤部とを結ぶ方向に手を動かす動作によって操作可能であることを特徴とする請求項２または３記載の可搬型鍵盤楽器。
【請求項５】
楽器本体と、
前記楽器本体において前部に配置された複数の鍵からなる鍵盤部と、
前記楽器本体の上部に設けられたパネル部と、
前記パネル部を、視覚的に認識可能に仕切って複数のブロックを形成し、前記複数のブロックのうち複数の特定ブロックには、互いに種類が異なる操作子を配設したことを特徴とする可搬型鍵盤楽器。
【請求項６】
前記複数のブロックのうち前記複数の特定ブロック以外のブロックに、キャラクタが描かれたことを特徴とする請求項５記載の可搬型鍵盤楽器。
【請求項７】
前記複数のブロックのうち前記複数の特定ブロック以外のブロックは、その上面が平面的に形成され、且つ、前記上面に、同じ形状の複数のシールのうち所望のシールを選択して貼り付け可能に構成されていることを特徴とする請求項５記載の可搬型鍵盤楽器。
【発明の詳細な説明】
【技術分野】
【０００１】
本発明は、小型で持ち歩き可能な可搬型鍵盤楽器に関する。
【背景技術】
【０００２】
従来、小型で持ち歩き可能な可搬型鍵盤楽器が知られている。例えば、下記特許文献１の可搬型鍵盤楽器は、ベルトで奏者の身体に吊り下げ、携帯したままでの演奏を可能としている。この可搬型鍵盤楽器では、楽音パラメータ等を制御する制御操作子が、パネル上面の後部左端部に配置されている。演奏者は、この可搬型鍵盤楽器を身体に装着して演奏する場合、楽器本体の底面側から左手を廻して、左手の指で上記制御操作子を操作する。上記制御操作子は、楽器本体に対して前後方向の動作により操作される。
【特許文献１】実開昭５８−１１８４９１号公報
【発明の開示】
【発明が解決しようとする課題】
【０００３】
しかしながら、上記のように、可搬型鍵盤楽器を身体に装着して演奏する場合、底面側から左手を廻して上記制御操作子に指を添え、なおかつ上記制御操作子を前後方向に動かして操作するという動作は、熟練しないと容易でない。また、上記可搬型鍵盤楽器を据え置いて使用する場合は、上記制御操作子が左端後部にあるのに、操作方向が前後方向であることから、左手による操作がやりやすいとはいえない。
【０００４】
ところで、種類の異なる操作子が複数存在する鍵盤楽器においては、一般に、初心者や子供にとって、どの操作子がどの位置にあるのかが覚えにくい。特に、外観が似たような操作子が多数隣接しているような場合は、演奏中に、操作すべき操作子を瞬時に認識して的確に操作することは容易なことではない。さらには、音楽教師が、操作子操作を含めた演奏指導を行う際に、操作すべき操作子を生徒に指示するとき、操作すべき操作子を、各操作子の名称や機能を称呼して指示しても、生徒が初心者や子供である場合は、指示された操作子がどれなのかがわかりにくい。
【０００５】
本発明は上記従来技術の問題を解決するためになされたものであり、その第１の目的は、楽器本体を、身体に支持した場合も、据え置いた場合も、パネル上の操作子の操作を容易に行うことができる可搬型鍵盤楽器を提供することにある。
【０００６】
また、本発明の第２の目的は、操作子の操作習得及び操作指導時の利便性を高めることができる可搬型鍵盤楽器を提供することにある。
【課題を解決するための手段】
【０００７】
上記第１の目的を達成するために本発明の請求項１の可搬型鍵盤楽器は、楽器本体と、前記楽器本体において前部に配置された複数の鍵からなる鍵盤部と、前記楽器本体において前記鍵盤部の後方に設けられたパネル部（２０、４１）と、前記楽器本体の左右一側の後部において、前記パネル部に設けられ、前記楽器本体の前記左右一側の後部と前記鍵盤部とを結ぶ方向（Ｆ１、Ｆ２）に沿う動作によって操作可能な操作子（２１、２２、４２）とを有することを特徴とする。
【０００８】
この構成によれば、例えば、楽器本体をベルト等で身体に装着して演奏する場合に、楽器本体の左右一側の後部を掌で把持したとき、前記左右一側の後部と前記鍵盤部とを結ぶ方向に指を動かすことが容易であり、そのような指の動作で、操作子を操作可能であるので、安定した操作が容易である。また、前記左右一側の後部と前記鍵盤部とを結ぶ方向に沿う動作によって操作可能であるので、楽器本体を据え置いて使用する場合も、手の動作方向が、左右一側の後部と奏者とを結ぶ方向とほぼ同じ方向となり、自然な動作で操作が可能である。よって、楽器本体を、身体に支持した場合も、据え置いた場合も、パネル上の操作子の操作を容易に行うことができる。
【０００９】
上記第１の目的を達成するために本発明の請求項２の可搬型鍵盤楽器は、楽器本体と、前記楽器本体において前部に配置された複数の鍵からなる鍵盤部と、前記楽器本体において前記鍵盤部の後方に設けられたパネル部と、前記楽器本体の左右一側の後部に形成され、前記パネル部に連接した垂直壁（１０ｃ）と、前記パネル部から前記垂直壁にかけて設けられ、平面視で前記垂直壁より外方に突出した突出部（２１ａ、２２ａ）を有する操作子（２１、２２）とを有し、前記操作子は、その前記突出部に指を掛けて操作可能に構成されたことを特徴とする。
【００１０】
この構成によれば、操作子の突出部が外方に突出しているので、身体に装着する場合だけでなく、楽器本体を据え置いて使用する場合も、突出部に指を掛けやすく、操作しやすい。よって、楽器本体を、身体に支持した場合も、据え置いた場合も、パネル上の操作子の操作を容易に行うことができる。
【００１１】
好ましくは、前記垂直壁は、前記楽器本体の前記左右一側の後部を切り欠いて形成され、前記操作子の前記突出部は、平面視において、前記楽器本体の前記左右一側の側面（１０ｂ）の延長線（Ｌ１）より内側であって且つ前記楽器本体の背面（１０ａ）の延長線（Ｌ２）より前方に位置する（請求項３）。この構成によれば、運搬時等において、操作子の突出部に物体が接触しにくく、損傷しにくい。また、垂直壁は、楽器本体の前記左右一側の後部を切り欠いて形成されるので、操作子の突出部に手や指を添えやすく、操作が容易である。
【００１２】
さらに好ましくは、前記操作子は、前記楽器本体の前記左右一側の後部と前記鍵盤部とを結ぶ方向（Ｆ１、Ｆ２）に手を動かす動作によって操作可能である（請求項４）。
【００１３】
上記第２の目的を達成するために本発明の請求項５の可搬型鍵盤楽器は、楽器本体と、前記楽器本体において前部に配置された複数の鍵からなる鍵盤部と、前記楽器本体の上部に設けられたパネル部と、前記パネル部を、視覚的に認識可能に仕切って複数のブロックを形成し、前記複数のブロックのうち複数の特定ブロック（ＢＬ１、ＢＬ７、ＢＬ１１）には、互いに種類が異なる操作子を配設したことを特徴とする。
【００１４】
この構成によれば、操作時には、各種類の操作子の位置をブロックの配置をたよりに認識できると共に、演奏指導時には、操作すべき操作子をブロックの位置で指示することができる。よって、操作子の操作習得及び操作指導時の利便性を高めることができる。
【００１５】
好ましくは、前記複数のブロックのうち前記複数の特定ブロック以外のブロックに、キャラクタ（２４）が描かれる（請求項６）。これにより、親しみが増すと共に、キャラクタが、各操作子を認識、指示する際の目印にもなる。
【００１６】
あるいは、前記複数のブロックのうち前記複数の特定ブロック以外のブロックは、その上面（２３）が平面的に形成され、且つ、前記上面に、同じ形状の複数のシールのうち所望のシール（３１）を選択して貼り付け可能に構成されている（請求項７）。これにより、所望のシールを貼り付けることでオンリーワンの楽器となり、愛着が湧きやすい。
【００１７】
なお、上記括弧内の符号は例示である。
【発明の効果】
【００１８】
本発明の請求項１、２に係る可搬型鍵盤楽器によれば、楽器本体を、身体に支持した場合も、据え置いた場合も、パネル上の操作子の操作を容易に行うことができる。
【００１９】
本発明の請求項５に係る可搬型鍵盤楽器によれば、操作子の操作習得及び操作指導時の利便性を高めることができる。
【発明を実施するための最良の形態】
【００２０】
以下、本発明の実施の形態を図面を参照して説明する。
【００２１】
図１は、本発明の一実施の形態に係る可搬型鍵盤楽器の斜視図である。この可搬型鍵盤楽器（以下、「単に鍵盤楽器」と称する）１００は、携帯が可能な程度に小型で軽量に構成される電子鍵盤楽器である。鍵盤楽器１００は、据え置きで演奏できるだけでなく、不図示のベルト係合部を有し、該ベルト係合部に不図示のベルトを係合させ、該ベルトを奏者の肩等に掛けることで、肩掛け等の身体装着状態で演奏することもできる。以降、鍵盤楽器１００の奏者側を前方（手前側）とし、左右方向は奏者を基準として呼称する。
【００２２】
鍵盤楽器１００において、その楽器本体１０の前部に、複数の鍵から成る鍵盤部ＫＢが配設される。楽器本体１０の上面のうち鍵盤部ＫＢ以外の領域、すなわち、鍵盤部ＫＢの後方及び左右側方の領域は、パネル部２０となっている。鍵盤楽器１００は、外観が板状のチョコレート（以下、「板チョコ」と称する）のような形態を呈するように造形されている。まず、パネル部２０を、視覚的に認識可能なように、複数のブロックＢＬ（ＢＬ１〜ＢＬ１２）に仕切って、各々のブロックＢＬを、板チョコの各ブロックに似せてある。また、パネル部２０は全体が褐色で、鍵盤部ＫＢの白鍵に相当する鍵についても、黒鍵と区別可能な程度の褐色にされている。
【００２３】
図２（ａ）は、楽器本体１０の左側後部の平面図である。図２（ｂ）は、鍵盤楽器１００の制御構成のブロック図である。
【００２４】
図１、図２（ａ）に示すように、ブロックＢＬ２は、四角形の突条２９で仕切られ、突条２９の内側が、盆地状の平坦な面である上面２３となっている。ただし、上面２３には、キャラクタ２４が付されている。このキャラクタ２４は、溝部２５で刻設されて成り、従って、上面２３より突出していない。その他のブロックＢＬについても、基本形状は同じであるが、鍵盤部ＫＢの左右に位置するブロックＢＬ１１、ＢＬ１２だけは、他のブロックＢＬの半分に相当する形状をしている。ブロックＢＬ１については後述する。
【００２５】
ブロックＢＬ３〜ＢＬ５及びブロックＢＬ９には、ブロックＢＬ２と同様にキャラクタ２４が付されている。ブロックＢＬ６、ＢＬ１０には、キャラクタ２４が付される代わりに、その上面に放音部１１、１２が設けられている。ブロックＢＬ７には、電源付きのスライドボリュームスイッチ１９が配設されている。ブロックＢＬ８には、液晶等で成る表示部１３が配設されている。ブロックＢＬ１１には、モード切り換えスイッチ１４、オクターブ切り換えスイッチ１７、１８、オクターブ切り換え表示用のＬＥＤ１５、１６が配設されている。
【００２６】
図１、図２（ａ）に示すように、楽器本体１０の左側後部に位置するブロックＢＬ１は、他のブロックＢＬとは異なり、一部が切り欠かれている。すなわち、楽器本体１０の左側後部の角部は切り欠かれて、その切り欠き面である垂直壁１０ｃが形成されている。この切り欠きを設けることで、外観上、板チョコの角を歯でかじったような状態に似せている。垂直壁１０ｃは、ブロックＢＬ１の上面２３と連接すると共に、楽器本体１０の背面１０ａ及び左側面１０ｂとも連接している。
【００２７】
楽器本体１０の外装は、樹脂製で金型成形によって一体に形成される。従って、垂直壁１０ｃも、ブロックＢＬも、共に一体に形成される。
【００２８】
ブロックＢＬ１には、第１割り当て操作子２１、第２割り当て操作子２２が設けられる。第１、第２割り当て操作子２１、２２は、ブロックＢＬ１の上面２３から垂直壁１０ｃにかけて設けられる。第１、第２割り当て操作子２１、２２は回転式の操作子であり、手等で操作することで所定角度の範囲で回転する。第１、第２割り当て操作子２１、２２は、楽器本体１０の左側後部（乃至垂直壁１０ｃ）と鍵盤部ＫＢの左右方向中央付近（乃至奏者の位置）とを結ぶ方向Ｆ１（図２（ａ）参照）に沿って同軸に回転可能に、互いに平行に配設される。
【００２９】
図２（ａ）に示すように、第１、第２割り当て操作子２１、２２の各後端位置である突出部２１ａ、２２ａは、平面視で、垂直壁１０ｃより外方である左方後方に常に突出している。また、第１、第２割り当て操作子２１、２２の上端位置は、ブロックＢＬ１の上面２３より常に上方に突出している。従って、第１、第２割り当て操作子２１、２２は、その上端から突出部２１ａ、２２ａまでのどの部位でも操作することができる。すなわち、上端を操作する場合は、主に上記方向Ｆ１に沿う動作により操作でき、突出部２１ａ、２２ａに指を掛けて操作する場合は、主に上下方向に沿う動作により操作することができ、両動作を交えて行うことも可能である。
【００３０】
図２（ａ）に示すように、第１、第２割り当て操作子２１、２２の突出部２１ａ、２２ａは、平面視において、楽器本体１０の左側面１０ｂの延長線Ｌ１より内側（右側）であって、且つ楽器本体１０の背面１０ａの延長線Ｌ２より前方に位置する。これにより、鍵盤楽器１００の持ち運び時等に、突出部２１ａ、２２ａが他の物体が接触しにくく、損傷から保護される。また、垂直壁１０ｃは、突出部２１ａ、２２ａに指を掛ける際、手がしっくりフィットするように、平面視において若干の凹凸形状に形成されている。
【００３１】
第１、第２割り当て操作子２１、２２には、所望の機能を各々割り当てることができ、例えば、モジュレーション、ピッチベンド等の楽音パラメータを変更制御する機能を割り当てることができる。
【００３２】
図２（ｂ）に示すように、鍵盤楽器１００は、上記した鍵盤部ＫＢ、表示部１３のほか、発音処理部２８、操作子群２６及び制御部２７を有する。発音処理部２８には、図示しない音源回路、効果回路、アンプ、スピーカ等が含まれ、発音処理部２８の音響が上記放音部１１、１２から放音される。操作子群２６には、第１、第２割り当て操作子２１、２２のほか、ブロックＢＬ７、ＢＬ１１のスイッチ１９、１４、１７、１８が含まれる。制御部２７は、不図示のＣＰＵ及び記憶部を有し、鍵盤楽器１００全体の制御を司る。
【００３３】
かかる構成において、鍵盤楽器１００を据え置いて演奏する際、第１、第２割り当て操作子２１、２２を操作するには、奏者は、第１、第２割り当て操作子２１、２２の上に左手を添えると共に、突出部２１ａ、２２ａに２本の指の先端部を掛ける。その際、突出部２１ａ、２２ａが垂直壁１０ｃより外方に突出しているので、指を掛けやすい。そして、奏者は、方向Ｆ１及び／又は上下方向に沿う動作により、第１、第２割り当て操作子２１、２２を回転操作する。特に、方向Ｆ１は、垂直壁１０ｃと奏者とを結ぶ方向とほぼ同じ方向であるので、方向Ｆ１への操作は、無理なく自然な姿勢で行える。
【００３４】
一方、鍵盤楽器１００を、例えば、上記特許文献１（実開昭５８−１１８４９１号公報）で示されるのと同様の態様で、肩掛け等で身体に装着して演奏する際、第１、第２割り当て操作子２１、２２を操作するには、奏者は、鍵盤楽器１００の底面側から左手を廻して、第１、第２割り当て操作子２１、２２に手を添える。この場合も、突出部２１ａ、２２ａが垂直壁１０ｃより外方に突出しているので、指を掛けやすい。手乃至指を添える際、第１、第２割り当て操作子２１、２２の上端にまで２本の指を掛けるのが好ましいが、最低限、突出部２１ａ、２２ａに掛けるだけでも操作は可能である。そして、奏者は、上下方向及び／又は方向Ｆ１に沿う指の動作により、第１、第２割り当て操作子２１、２２を回転操作する。
【００３５】
本実施の形態によれば、楽器本体１０の左側後部に配設された第１、第２割り当て操作子２１、２２が、楽器本体１０の左側後部と鍵盤部ＫＢの左右方向中央付近とを結ぶ方向Ｆ１に沿って操作可能である。従って、身体に装着して演奏する際、楽器本体１０の左側後部を掌で把持したとき、方向Ｆ１に指を動かすことが容易であり、そのような指の動作で、第１、第２割り当て操作子２１、２２を操作可能であるので、安定した操作が容易である。また、据え置き使用の場合も、垂直壁１０ｃと奏者とを結ぶ方向に手を動かせばよいので、自然な動作で第１、第２割り当て操作子２１、２２の操作が可能である。
【００３６】
また、楽器本体１０の左側後部の角部を、平面視で斜めの角度に切り欠いて垂直壁１０ｃが形成され、第１、第２割り当て操作子２１、２２が、ブロックＢＬ１の上面２３から垂直壁１０ｃにかけて設けられる。従って、奏者は、楽器本体１０を身体に装着する場合も、据え置き使用の場合も、左方後方に伸ばした左腕の掌を自然に曲げるだけで、垂直壁１０ｃ及び第１、第２割り当て操作子２１、２２に容易に指を添えることができる。しかも、第１、第２割り当て操作子２１、２２の突出部２１ａ、２２ａが垂直壁１０ｃより外方に突出しているので、身体に装着した場合だけでなく、据え置き使用の場合も、突出部２１ａ、２２ａに指を掛けやすく、操作しやすい。
【００３７】
よって、楽器本体１０を、身体に支持した場合も、据え置いた場合も、第１、第２割り当て操作子２１、２２の操作を容易に行うことができる。
【００３８】
本実施の形態によればまた、第１、第２割り当て操作子２１、２２の突出部２１ａ、２２ａは、平面視において、延長線Ｌ１より内側であって、且つ延長線Ｌ２より前方に位置するので（図２（ａ）参照）、鍵盤楽器１００の運搬時等において、突出部２１ａ、２２ａが他の物体が接触して損傷する危険性を極力小さくすることができる。
【００３９】
また、パネル部２０を、視覚的に認識可能なように、複数のブロックＢＬに仕切り、複数のブロックＢＬのうち、複数の特定ブロックＢＬであるブロックＢＬ１、ＢＬ７、ＢＬ１１には、互いに種類が異なる操作子を配設した。これにより、各操作子の操作時には、各操作子の位置をブロックＢＬの配置をたよりに容易に認識することができる。また、音楽教師が、操作子操作を含めた演奏指導を行う際に、操作すべき操作子を生徒に指示するとき、操作子の名称や機能を称呼することなく、例えば、「次は左から○○番目のブロックの操作子を操作せよ」等のように、操作すべき操作子を、ブロックＢＬの位置を用いて指示することができる。従って、生徒が初心者や子供であっても、操作すべき操作子の指示が容易である。よって、操作子の操作習得及び操作指導時の利便性を高めることができる。このことを応用し、さらに他の複数のブロックＢＬにおいても、互いに種類の異なる操作子を配設するのが好ましく、配設する操作子が多いほど、その効果が顕著になる。
【００４０】
さらに、上記特定のブロックＢＬ以外のブロックＢＬであるブロックＢＬ２〜ＢＬ５、ＢＬ９には、キャラクタ２４を付したので、親しみやすい。なお、付すキャラクタ２４の種類をブロックＢＬ毎に異ならせることで、例えば、「次は○○（キャラクタ）の右のブロックＢＬの操作子を操作せよ」等のように、操作すべき操作子を、それの近くのキャラクタ２４を目印にして指示することができる。この点でも、操作子の操作習得及び操作指導時の利便性を高めることができる。
【００４１】
また、上述のように、パネル部２０に形成された複数のブロックＢＬは、各操作子の操作習得及び操作指導の利便性向上に寄与し、垂直壁１０ｃは、切り欠き状に形成されて、第１、第２割り当て操作子２１、２２の操作性向上に寄与している。しかし、複数のブロックＢＬ及び垂直壁１０ｃは、鍵盤楽器１００全体を、角部がかじられた板チョコに似せるための形態でもある。従って、これらの形態は、意匠的効果を確保しつつも、操作性及び利便性の向上という技術的効果を得られるように工夫されたものである。
【００４２】
ところで、本実施の形態では、ブロックＢＬ２〜ＢＬ５、ＢＬ９には、キャラクタ２４を刻設して設けたが、ブロックＢＬ２〜ＢＬ５、ＢＬ９の各上面２３にキャラクタシールを貼り付けてもよい。
【００４３】
図３（ａ）は、ブロックＢＬ２と、それに貼着されるキャラクタシールを示す斜視図である。キャラクタ２４は、上述のように、溝部２５で構成され、各上面２３は溝部２５を除けば平坦な面である。従って、この上面２３に、キャラクタシール３１を貼ることが可能で、それによって、視認されるキャラクタを実質的に変更することができる。
【００４４】
同図（ａ）に示すように、キャラクタシール３１の上面には、キャラクタ２４とは別のキャラクタが描かれており、下面である貼着面には保護シート３２が貼られている。キャラクタシール群３０には、同じ形状の複数のキャラクタシール３１が含まれ、描かれるキャラクタの内容は各キャラクタシール３１毎に異なっている。なお、複数のキャラクタシール３１間で、描かれるキャラクタが同じであってもよい。ユーザは、予め用意されたキャラクタシール群３０を、鍵盤楽器１００の購入時または購入後に入手する。そして、キャラクタシール群３０の中から所望の１つのキャラクタシール３１を、保護シート３２を剥がしてブロックＢＬ２の上面２３に貼る。上面２３は平坦であるので、キャラクタシール３１を支障なく貼ることができる。他のブロックＢＬ３〜ＢＬ５、ＢＬ９についても同様である。
【００４５】
このように、所望のキャラクタシール３１を貼ることで、ユーザにとっては、デザイン上、唯一となる鍵盤楽器１００を実現することができ、愛着の湧く鍵盤楽器となる。
【００４６】
なお、当初からキャラクタシール３１を貼ることを予定するように構成する場合は、キャラクタ２４の刻設は不要であり、上面２３は完全な平坦としてもよい。一方、キャラクタシール３１を貼ることを想定せず、キャラクタ２４による親しみやすさの効果を得ることに限って言えば、キャラクタ２４は、溝でなく凸状に設けてもよい。
【００４７】
なお、本実施の形態では、パネル部２０を突条２９で仕切って各ブロックＢＬを形成したが、これに限るものではない。例えば、各ブロックＢＬが視覚的に認識可能となるように仕切ればよく、溝や、パネル部２０上に描いた線によって仕切ってもよい。
【００４８】
なお、本実施の形態では、垂直壁１０ｃ及び第１、第２割り当て操作子２１、２２を、楽器本体１０の左側後部に設けたが、これとは左右逆にして、右側後部に設けてもよい。また、第１、第２割り当て操作子２１、２２に割り当てられる機能は上記例示した機能に限られるものではなく、また、これらの操作子を、固定の機能を有した操作子としてもよい。
【００４９】
なお、本実施の形態では、鍵盤楽器１００を電子鍵盤楽器として構成したが、これに限るものではない。例えば、図３（ｂ）に示すように、吹奏式の鍵盤楽器にも適用可能である。すなわち、この可搬型鍵盤楽器２００は、パイプ４３から供給される空気を用いて鍵盤演奏ができるようになっている。可搬型鍵盤楽器２００の左側後部には、切り欠き部４４が形成され、切り欠き部４４より少し左方後方に突出して、流量調整操作子４２が設けられる。流量調整操作子４２は、方向Ｆ２（上記方向Ｆ１と同じ）に操作され、不図示の弁構造に連結されており、パイプ４３から供給される空気の流量を、流量調整操作子４２の操作によって調節できるようになっている。切り欠き部４４が上記垂直壁１０ｃに相当し、流量調整操作子４２が、上記第１、第２割り当て操作子２１、２２に相当する。
【００５０】
また、パネル部４１には、視覚的に認識可能に仕切られた複数のブロックＢＬ１３〜ＢＬ１５が設けられている。これらブロックＢＬ１３〜ＢＬ１５には、操作子を配設してもよいし、キャラクタを描いてもよい。
【００５１】
なお、本実施の形態では、鍵盤楽器１００の外観を板状のチョコレートに似せたが、側部後部に設けた操作子の操作を容易に行う観点、及び該操作子の損傷の危険性を小さくする観点に限れば、鍵盤楽器の形態は問わない。一方、操作子の操作習得及び操作指導時の利便性を高める観点に限れば、鍵盤楽器は、複数ブロックを有する形態であればよく、好ましくは、親しみやすさを得るために、最中（もなか）型アイスクリームのような菓子の形態としてもよい。
【図面の簡単な説明】
【００５２】
【図１】本発明の一実施の形態に係る可搬型鍵盤楽器の斜視図である。
【図２】楽器本体の左側後部の平面図（図（ａ））、及び鍵盤楽器の制御構成のブロック図（図（ｂ））である。
【図３】本実施の形態の変形例に係る、ブロックとそれに貼着されるキャラクタシールを示す斜視図（図（ａ））、及び吹奏式の可搬型鍵盤楽器の平面図（図（ｂ））である。
【符号の説明】
【００５３】
１０…楽器本体、  １０ａ…背面、  １０ｂ…左側面（左右一側の側面）、  １０ｃ…垂直壁、  ２０、４１…パネル部、  ２１、２２…第１、第２割り当て操作子（操作子）、  ２１ａ、２２ａ…突出部、  ２３…上面、  ２４…キャラクタ、  ３０…キャラクタシール群、  ３１…キャラクタシール、  ４２…流量調整操作子（操作子）、  ＫＢ…鍵盤部、  ＢＬ…ブロック、  Ｌ１、Ｌ２…延長線、  Ｆ１、Ｆ２…方向、  １００、２００…可搬型鍵盤楽器
【図１】
2006267496.tif 000003
【図２】
2006267496.tif 000004
【図３】
2006267496.tif 000005